(57)【要約】【課題】  コイルの径を大きくすること可能でありしたがって加熱効率が高くしかも単位コイルを並べたとき近接するコイルが接触する恐れがない、誘導加熱装置を提供すること。【解決手段】  所定長の筒状の複数のコイルユニット１１と、このコイルユニット１１を通すコイルユニット支持体１２とを備え、前記コイルユニット１１は、前記コイルユニットを介して高周波電源が接続されるコイル１５と、このコイル１５が外周に捲回され、両端部に環状突起部２１ａ，２１ｂを有しこの環状突起部２１ａ，２１ｂの一部に切欠部２５ａ，２５ｂを有し、この切欠部２５ａ，２５ｂに前記コイル１５を通す孔２６ａ，２６ｂを有するコイルボビン１４とから成る。【選択図】図１
2006024506.tif 000002
【特許請求の範囲】
【請求項１】
所定長の筒状の複数のコイルユニットと、
このコイルユニットを通すコイルユニット支持体とを備え、
前記コイルユニットは、前記コイルユニットを介して高周波電源が接続されるコイルと、このコイルが外周に捲回され、両端部に環状突起部を有しこの環状突起部の一部に切欠部を有し、この切欠部に前記コイルを通す孔を有するコイルボビンとから成ることを特徴とする定着装置の加熱誘導装置。
【請求項２】
前記コイルユニット支持体は、外周で軸方向に溝を有し、前記コイルボビンは軸方向で内方に突出し前記溝に嵌合する突起を有しており、
前記孔を通してコイルボビンの内側に導かれたコイルは、前記溝により前記高周波電源に導かれることを特徴とする請求項１記載の定着装置の加熱誘導装置。
【発明の詳細な説明】
【技術分野】
【０００１】
本発明は、複写機などにおいて記録紙にトナー像を定着させる定着装置に用いる誘導加熱装置に関する。
【背景技術】
【０００２】
複写機、プリンタ、ファクシミリなどの画像作成装置において、記録紙のトナー像を定着させるために定着装置が用いられる。この定着装置ではトナー像を加熱する必要があり、通常このために誘導加熱を行うために誘導コイルを用いる。記録紙の大きさにより定着装置の幅が決まり、したがって長さの異なる誘導コイルを使わなければならない。そこで、所定長の誘導コイルを並べて所定幅の加熱装置を作ったものが知られている（特許文献１参照）。
【特許文献１】特開２００３−１２２１５５号公報、図３
【発明の開示】
【発明が解決しようとする課題】
【０００３】
しかし上記の単位コイルをつなげて用いるとき、隣接するコイルを接続するために、給電突起を設ける必要が生じ、コイルの径をあまり大きくすることができず、この誘導加熱装置を定着ローラに近づけることができず加熱効率を大きくすることができなかった。
【０００４】
本発明はこれらの問題点に鑑みてなされたもので、コイルの径を大きくすること可能でありしたがって加熱効率が高くしかも単位コイルを並べたとき近接するコイルが接触する恐れがない、誘導加熱装置を提供することを目的とする。
【課題を解決するための手段】
【０００５】
本発明の請求項１によれば、所定長の筒状の複数のコイルユニットと、このコイルユニットを通すコイルユニット支持体とを備え、前記コイルユニットは、前記コイルユニットを介して高周波電源が接続されるコイルと、このコイルが外周に捲回され、両端部に環状突起部を有しこの環状突起部の一部に切欠部を有し、この切欠部に前記コイルを通す孔を有するコイルボビンとから成ることを特徴とする定着装置の加熱誘導装置を提供する。
【発明の効果】
【０００６】
本発明によれば、コイルの径を大きくすること可能であり加熱効率が高くしかも単位コイルを並べたとき近接するコイルが接触する恐れがない、誘導加熱装置が得られる。
【発明を実施するための最良の形態】
【０００７】
以下、本発明の実施形態について図面を用いて説明する。図１に本発明一実施形態の定着装置の構成例を示す。この定着装置１０は、複数のコイルユニット１１と、このコイルユニット１１を通すコイルユニット支持体１２と、このコイルユニット支持体１２を両側から固定するコイルユニット固定体１３とから成る。
【０００８】
各コイルユニット１１は、コイルボビン１４と、このコイルボビン１４の周囲に巻かれたコイル１５から成る。コイルボビン１４は、図２（ａ）に示すように両端で外部に向かって突出した環状突起部２１ａ，２１ｂを有する筒状体であり、このコイルボビン１４の内部では、中心軸に向かって突起２２ａ，２２ｂが軸方向に設けられている。
【０００９】
コイル支持体１２は、図２（ｂ）に示すように周囲の軸方向に対向するＵ字溝２４ａ，２４ｂを有する円柱状のものである。コイル支持体１２にコイルボビン１４が挿入されるとき、コイル支持体１２のＵ字溝２４ａ，２４ｂには上記コイルボビン１４の突起２２ａ，２２ｂが深さ方向に余裕を残して、嵌合するような寸法になっている。
【００１０】
また、図３（ａ）（ｂ）に示すように、コイルボビン１４の環状突起部２１ａ，２１ｂは一部に切欠部２５ａ，２５ｂが設けられており、この部分に設けられた孔２６ａ，２６ｂが設けられている。
【００１１】
上記のような所定長さの誘導加熱装置を製造するには、これに応じたコイルユニット支持体１２をまず用意する。そして、コイルボビン１４にコイル１５を捲回し、コイルボビン１４に巻かれたコイル１５の両端部をコイルボビン１４の環状突起部２１ａ，２１ｂの切欠部の孔２６ａ，２６ｂからＵ字溝２４ａ，２４ｂ中に入れ、一方向に導く（図示せず）。複数のコイルユニット１１を、上記のようにコイルユニット支持体１２に装着した後、これらのコイルユニットの両端部を、コイルユニット固定体１３で固定する。
【００１２】
上記の一方向に導かれたコイルの先には、図示しない高周波電源が接続され、使用時にはこの高周波電源からコイルに並列に電流が流され、高周波電力を供給することにより、誘導加熱が行われる。
【００１３】
異なる長さの上記コイルユニットを複数種類作成しておき、これらのコイルユニットを適宜選択して用いることにより、加熱部分の長さが必要な長さの誘導加熱装置を得ることが可能となる。
【００１４】
本発明のこの実施形態によれば、コイルボビンの端部に環状突起部が設けられており、この部分に切欠部を有しこの切欠部に設けられた孔からコイルボビンに捲回されたコイルが内部に導かれる。したがって、コイルを接続する給電突起などを設ける必要がなく、規定された定着ローラの内径とのクリアランスまでコイルの径を大きくすることができ、結局、誘導加熱を生ずるコイルと定着ローラとの結合を高め、加熱効率を向上させることが可能となる利点がある。
【００１５】
上記本発明の実施形態によれば、コイルボビンの内側で軸方向に、対向する２つの突起を有し、これに対応してコイルユニット支持体の外周で軸方向にＵ字溝を有していた。このように２つの溝及び突起があれば、コイルの両端を各一方の溝から外部に導くことが容易である利点がある。
【００１６】
しかし本発明において、上記溝はＵ字溝に限られず、また溝及び突起も２つに限られず１つあるいは３つ以上あっても良い。
【図面の簡単な説明】
【００１７】
【図１】本発明一実施形態の誘導加熱装置の構成例を示す図。
【図２】本発明一実施形態の誘導加熱装置の構造を説明するための図。
【図３】本発明一実施形態の誘導加熱装置の構造を説明するための図。
【符号の説明】
【００１８】
１０・・・定着装置、
１１・・・コイルユニット、
１２・・・コイルユニット支持体、
１３・・・コイルユニット固定体、
１４・・・コイルボビン、
１５・・・コイル、
２１ａ，２１ｂ・・・環状突起部、
２２ａ，２２ｂ・・・突起、
２４ａ，２４ｂ・・・Ｕ字溝、
２５ａ，２５ｂ・・・切欠部、
２６ａ，２６ｂ・・・孔。
【図１】
2006024506.tif 000003
【図２】
2006024506.tif 000004
【図３】
2006024506.tif 000005